(57)【特許請求の範囲】
【請求項１】
入力された商品の品名を含む注文情報を送信する注文端末から送信されてきた注文情報を印刷または表示して出力する注文情報出力装置であって、
前記商品の品名と、あらかじめ前記商品の調理部門毎に設定された互いに異なる複数の種類の音をそれぞれ示す複数の音情報の１つとを対応付けて記憶する記憶部と、
前記記憶部にて、前記注文端末から送信されてきた注文情報に含まれる品名と対応付けられている音情報を選択する音情報選択部と、
前記音情報選択部が選択した音情報に応じた音を当該注文情報出力装置の外部へ出力する音出力部とを有する注文情報出力装置。
【請求項２】
請求項１に記載の注文情報出力装置において、
前記記憶部は、前記複数の音情報として互いに異なる複数の周波数を記憶し、
前記音出力部は、前記周波数に応じた音を出力することを特徴とする注文情報出力装置。
【請求項３】
請求項１に記載の注文情報出力装置において、
前記記憶部は、前記複数の音情報として互いに異なる複数のメロディを示すメロディ情報を記憶し、
前記音出力部は、前記メロディ情報に応じたメロディを出力することを特徴とする注文情報出力装置。
【請求項４】
請求項１に記載の注文情報出力装置において、
前記記憶部は、前記複数の音情報として互いに異なる複数の出力パターンを示す出力パターン情報を記憶し、
前記音出力部は、前記出力パターン情報に応じた出力パターンで前記音を出力することを特徴とする注文情報出力装置。
【請求項５】
入力された商品の品名を含む注文情報を送信する注文端末と、該注文端末から送信されてきた注文情報を印刷または表示して出力する注文情報出力装置とから構成される注文情報出力システムにおいて、
前記注文情報出力装置は、
前記商品の品名と、あらかじめ前記商品の調理部門毎に設定された互いに異なる複数の種類の音をそれぞれ示す複数の音情報の１つとを対応付けて記憶する記憶部と、
前記記憶部にて、前記注文端末から送信されてきた注文情報に含まれる品名と対応付けられている音情報を選択する音情報選択部と、
前記音情報選択部が選択した音情報に応じた音を当該注文情報出力装置の外部へ出力する音出力部とを有することを特徴とする注文情報出力システム。
【請求項６】
入力された商品の品名を含む注文情報を送信する注文端末と、該注文端末から送信されてきた注文情報を印刷または表示して出力する注文情報出力装置とから構成される注文情報出力システムにおいて、
前記注文端末は、前記商品の品名と、あらかじめ前記商品の調理部門毎に設定された互いに異なる複数の種類の音源データの１つとを対応付けて記憶し、前記品名が入力されると、該入力された品名と対応付けられている音源データと該品名とを前記注文情報に含めて前記注文情報出力装置へ送信し、
前記注文情報出力装置は、前記注文端末から送信されてきた音源データを再生することを特徴とする注文情報出力システム。
【請求項７】
入力された商品の品名を含む注文情報を送信する注文端末と、該注文端末から送信されてきた注文情報を印刷または表示して出力する注文情報出力装置とから構成される注文情報出力システムにおける注文情報出力方法であって、
前記注文情報出力装置は、前記商品の品名と、あらかじめ前記商品の調理部門毎に設定された互いに異なる複数の種類の音をそれぞれ示す複数の音情報の１つとを対応付けて記憶部に記憶しており、
前記注文情報出力装置が、前記注文端末から送信されてきた注文情報に含まれる品名とあらかじめ対応付けられている音情報を選択する処理と、
前記注文情報出力装置が、前記選択した音情報に応じた音を前記注文情報出力装置の外部へ出力する処理とを行う注文情報出力方法。
【請求項８】
商品の品名と、あらかじめ前記商品の調理部門毎に設定された互いに異なる複数の種類の音をそれぞれ示す複数の音情報の１つとを対応付けて記憶部に記憶し、入力された商品の品名を含む注文情報を送信する注文端末から送信されてきた注文情報を印刷または表示して出力する注文情報出力装置に、
前記注文端末から送信されてきた注文情報に含まれる品名とあらかじめ対応付けられている音情報を選択する手順と、
前記選択した音情報に応じた音を当該注文情報出力装置の外部へ出力する手順とを実行させるためのプログラム。
【発明の詳細な説明】
【技術分野】
【０００１】
本発明は、注文された情報を出力する注文情報出力装置、注文情報出力システム、注文情報出力方法およびプログラムに関する。
【背景技術】
【０００２】
近年、飲食店において、客から受けた注文を厨房にいる店員に知らせるために、客から商品の注文を受けた店員が、当該商品の品名や個数を注文情報としてハンディターミナル（以下、注文端末と称する）にその場で入力し、その入力された注文情報が厨房に設置されているキッチンプリンタへ送信されるといったシステムが利用される場面が増えてきている（例えば、特許文献１参照。）。そして、キッチンプリンタにて受信された注文情報が印刷されることにより、厨房にいる店員がその印刷されたオーダー表を確認すれば、注文された商品の品名や個数を認識することができる。
【先行技術文献】
【特許文献】
【０００３】
【特許文献１】特開２００５−３３９２６１号公報
【発明の概要】
【発明が解決しようとする課題】
【０００４】
しかしながら、料理などは厨房で作り、一方、飲み物やデザートはフロアで作る飲食店である場合、キッチンプリンタから出力されたオーダー表を見て確認しないと、どちらで作る商品なのかを認識することができないという問題点がある。つまり、キッチンプリンタからオーダー表が出力された時点では、厨房にいる店員とフロアにある店員とのどちらが確認するのが適しているのかを判断することができず、場合によっては、無駄な確認の手間がかかってしまうという問題点がある。
【０００５】
本発明の目的は、上述した課題を解決する注文情報出力装置、注文情報出力システム、注文情報出力方法およびプログラムを提供することである。
【課題を解決するための手段】
【０００６】
本発明の注文情報出力装置は、
入力された商品の品名を含む注文情報を送信する注文端末から送信されてきた注文情報を印刷または表示して出力する注文情報出力装置であって、
複数の商品の品名と、あらかじめ設定された互いに異なる複数の種類の音をそれぞれ示す複数の音情報とをそれぞれ対応付けて記憶する記憶部と、
前記記憶部にて、前記注文端末から送信されてきた注文情報に含まれる品名と対応付けられている音情報を選択する音情報選択部と、
前記音情報選択部が選択した音情報に応じた音を当該注文情報出力装置の外部へ出力する音出力部とを有する。
【０００７】
また、本発明の注文情報出力システムは、
入力された商品の品名を含む注文情報を送信する注文端末と、該注文端末から送信されてきた注文情報を印刷または表示して出力する注文情報出力装置とから構成される注文情報出力システムであって、
前記注文情報出力装置は、
複数の商品の品名と、あらかじめ設定された互いに異なる複数の種類の音をそれぞれ示す複数の音情報とをそれぞれ対応付けて記憶する記憶部と、
前記記憶部にて、前記注文端末から送信されてきた注文情報に含まれる品名と対応付けられている音情報を選択する音情報選択部と、
前記音情報選択部が選択した音情報に応じた音を当該注文情報出力装置の外部へ出力する音出力部とを有することを特徴とする。
【０００８】
また、本発明の注文情報出力システムは、
入力された商品の品名を含む注文情報を送信する注文端末と、該注文端末から送信されてきた注文情報を印刷または表示して出力する注文情報出力装置とから構成される注文情報出力システムであって、
前記注文端末は、複数の商品の品名と、あらかじめ設定された互いに異なる複数の種類の音源データとをそれぞれ対応付けて記憶し、前記品名が入力されると、該入力された品名と対応付けられている音源データと該品名とを前記注文情報に含めて前記注文情報出力装置へ送信し、
前記注文情報出力装置は、前記注文端末から送信されてきた音源データを再生することを特徴とする。
【０００９】
また、本発明の注文情報出力方法は、
入力された商品の品名を含む注文情報を送信する注文端末と、該注文端末から送信されてきた注文情報を印刷または表示して出力する注文情報出力装置とから構成される注文情報出力システムにおける注文情報出力方法であって、
前記注文情報出力装置が、前記注文端末から送信されてきた注文情報に含まれる品名とあらかじめ対応付けられている音情報を選択する処理と、
前記注文情報出力装置が、前記選択した音情報に応じた音を前記注文情報出力装置の外部へ出力する処理とを行う。
【００１０】
また、本発明のプログラムは、
入力された商品の品名を含む注文情報を送信する注文端末から送信されてきた注文情報を印刷または表示して出力する注文情報出力装置に実行させるためのプログラムであって、
前記注文端末から送信されてきた注文情報に含まれる品名とあらかじめ対応付けられている音情報を選択する手順と、
前記選択した音情報に応じた音を当該注文情報出力装置の外部へ出力する手順とを実行させる。
【発明の効果】
【００１１】
以上説明したように、本発明においては、注文された商品を効率良く識別することができる。
【図面の簡単な説明】
【００１２】
【図１】本発明の注文情報出力システムの形態の一例を示す図である。
【図２】図１に示したキッチンプリンタの内部構成の一例を示す図である。
【図３】図２に示した記憶部に記憶されている情報の一例を示す図である。
【図４】図２に示した記憶部に記憶されている情報の他の例を示す図である。
【図５】本形態における注文情報出力方法を説明するためのシーケンス図である。
【図６】本形態における注文情報出力方法を説明するためのシーケンス図である。
【発明を実施するための形態】
【００１３】
以下に、本発明の実施の形態について図面を参照して説明する。
【００１４】
図１は、本発明の注文情報出力システムの形態の一例を示す図である。
【００１５】
本形態は図１に示すように、ＰＯＳ端末１００と、コントローラ２００と、キッチンプリンタ３００と、無線通信ユニット４００と、ハンディターミナル５００と、有線ＬＡＮ６００とから構成されている。なお、本システムは、飲食店内に設置されている。
【００１６】
ＰＯＳ端末１００は、客が会計する際のチェックアウトカウンタに設置される会計装置である。
【００１７】
コントローラ２００は、本システム全体を制御する制御装置である。
【００１８】
キッチンプリンタ３００は、ハンディターミナル５００から送信されてきた、客から注文された商品の品名と商品の個数とを含む注文情報を印刷して出力する注文情報出力装置である。
【００１９】
無線通信ユニット４００は、ハンディターミナル５００との間で送受信される無線信号を終端し、当該無線信号と有線ＬＡＮ６００への有線信号との変換を行う。
【００２０】
ハンディターミナル５００は、客の注文を取る店員が所持する注文端末であり、客が注文した商品の品名と商品の個数との入力を受け付ける。また、ハンディターミナル５００は、入力された商品の品名と商品の個数とを注文情報として、無線通信ユニット４００を介してキッチンプリンタ３００へ送信する。このとき、注文情報を電気信号として送受信できる形式（符号）へ変換して送信することは言うまでもない。なお、注文情報に含まれる商品の品名は、後述するメニューコードであっても良い。また、ハンディターミナル５００は、飲食店にて注文可能な複数の商品の品名と、あらかじめ設定された互いに異なる複数の種類の音源データとをそれぞれ対応付けて記憶し、商品の品名が入力されると、入力された品名と対応付けられている音源データと品名とを注文情報に含めて無線通信ユニット４００を介してキッチンプリンタ３００へ送信するものであっても良い。
【００２１】
有線ＬＡＮ（Ｌｏｃａｌ  Ａｒｅａ  Ｎｅｔｗｏｒｋ）６００は、ＰＯＳ端末１００と、コントローラ２００と、キッチンプリンタ３００と、無線通信ユニット４００とを互いに接続する通信回線（ネットワーク）である。
【００２２】
図２は、図１に示したキッチンプリンタ３００の内部構成の一例を示す図である。
【００２３】
図１に示したキッチンプリンタ３００には図２に示すように、記憶部３１０と、音情報選択部３２０と、音出力部３３０とが設けられている。なお、図２には、図１に示したキッチンプリンタ３００が具備する構成要素のうち、本発明に係わる要素のみを示した。したがって、一般的なキッチンプリンタに具備されている注文情報（注文した商品の品名やその個数）を印刷する印刷部等も具備していることは言うまでもないが、そのような印刷部等は図２には示していない。
【００２４】
記憶部３１０は、当該飲食店にて注文可能な複数の商品の品名と、あらかじめ設定された互いに異なる複数の種類の音をそれぞれ示す複数の音情報とをそれぞれ対応付けて記憶する。
【００２５】
図３は、図２に示した記憶部３１０に記憶されている情報の第１の例を示す図である。
【００２６】
図２に示した記憶部３１０には図３に示すように、商品の品名と、その品名それぞれに対応する複数の音情報とがそれぞれ対応付けられている。
【００２７】
例えば図３に示すように、品名が「野菜サンド」と音情報が「Ａ」とが対応付けられて記憶されている。これは、ハンディターミナル５００から送信されてきた注文情報に含まれる商品の品名が「野菜サンド」である場合、その音情報は「Ａ」であることを示している。また、品名が「ハムサンド」と音情報が「Ｂ」とが対応付けられて記憶されている。これは、ハンディターミナル５００から送信されてきた注文情報に含まれる商品の品名が「ハムサンド」である場合、その音情報は「Ｂ」であることを示している。また、品名が「カツサンド」と音情報が「Ｃ」とが対応付けられて記憶されている。これは、ハンディターミナル５００から送信されてきた注文情報に含まれる商品の品名が「カツサンド」である場合、その音情報は「Ｃ」であることを示している。また、品名が「オレンジジュース」と音情報が「Ｄ」とが対応付けられて記憶されている。これは、ハンディターミナル５００から送信されてきた注文情報に含まれる商品の品名が「オレンジジュース」である場合、その音情報は「Ｄ」であることを示している。また、品名が「レモンジュース」と音情報が「Ｅ」とが対応付けられて記憶されている。これは、ハンディターミナル５００から送信されてきた注文情報に含まれる商品の品名が「レモンジュース」である場合、その音情報は「Ｅ」であることを示している。また、品名が「ビール」と音情報が「Ｆ」とが対応付けられて記憶されている。これは、ハンディターミナル５００から送信されてきた注文情報に含まれる商品の品名が「ビール」である場合、その音情報は「Ｆ」であることを示している。
【００２８】
また、記憶部３１０は、当該飲食店にて注文可能な複数の商品の品名と、その商品を複数のグループにあらかじめ分けたグループそれぞれのグループ名とを対応付けて記憶し、さらに、その複数のグループと、あらかじめ設定された互いに異なる複数の種類の音をそれぞれ示す複数の音情報とをそれぞれ対応付けて記憶するものであっても良い。
【００２９】
図４は、図２に示した記憶部３１０に記憶されている情報の第２の例を示す図である。
【００３０】
図２に示した記憶部３１０には図４に示すように、商品の品名と、それら品名を複数のグループに分けて、そのグループ名とが対応付けられ、さらに、複数のグループ名それぞれと、複数の音情報とがそれぞれ対応付けられている。このグループ分けは、当該商品を作る場所に応じてあらかじめ分けられている。例えば、厨房で作るもの（料理等）とフロアで作るもの（飲み物等）との２つに分けられている。
【００３１】
例えば図３に示すように、品名が「野菜サンド」とグループ名が「Ｇ０１」と音情報が「Ａ」とが対応付けられて記憶されている。これは、ハンディターミナル５００から送信されてきた注文情報に含まれる商品の品名が「野菜サンド」である場合、その商品は「Ｇ０１」というグループに属し、音情報は「Ａ」であることを示している。また、品名が「ハムサンド」とグループ名が「Ｇ０１」と音情報が「Ａ」とが対応付けられて記憶されている。これは、ハンディターミナル５００から送信されてきた注文情報に含まれる商品の品名が「ハムサンド」である場合、その商品は「Ｇ０１」というグループに属し、音情報は「Ａ」であることを示している。また、品名が「カツサンド」とグループ名が「Ｇ０１」と音情報が「Ｂ」とが対応付けられて記憶されている。これは、ハンディターミナル５００から送信されてきた注文情報に含まれる商品の品名が「カツサンド」である場合、その商品は「Ｇ０１」というグループに属し、音情報は「Ａ」であることを示している。また、品名が「オレンジジュース」とグループ名が「Ｇ０２」と音情報が「Ｂ」とが対応付けられて記憶されている。これは、ハンディターミナル５００から送信されてきた注文情報に含まれる商品の品名が「オレンジジュース」である場合、その商品は「Ｇ０２」というグループに属し、音情報は「Ｂ」であることを示している。また、品名が「レモンジュース」とグループ名が「Ｇ０２」と音情報が「Ｂ」とが対応付けられて記憶されている。これは、ハンディターミナル５００から送信されてきた注文情報に含まれる商品の品名が「レモンジュース」である場合、その商品は「Ｇ０２」というグループに属し、音情報は「Ｂ」であることを示している。また、品名が「ビール」とグループ名が「Ｇ０２」と音情報が「Ｂ」とが対応付けられて記憶されている。これは、ハンディターミナル５００から送信されてきた注文情報に含まれる商品の品名が「ビール」である場合、その商品は「Ｇ０２」というグループに属し、音情報は「Ｂ」であることを示している。
【００３２】
なお、図４に示したように、商品がグループ名「Ｇ０１」に属していれば、その音情報は「Ａ」であり、また商品がグループ名「Ｇ０２」に属していれば、その音情報は「Ｂ」である。
【００３３】
さらに、記憶部３１０は、商品それぞれにあらかじめ付与されたメニューコードや単価、その商品を調理する（作る）調理部門も対応付けられて記憶しているものであっても良い。
【００３４】
図５は、図２に示した記憶部３１０に記憶されている情報の第３の例を示す図である。
【００３５】
図２に示した記憶部３１０には図５に示すように、商品にあらかじめ付与されたメニューコードと、商品の品名と、当該商品の単価と、その商品を調理する（作る）調理部門と、複数のグループ名と、複数の音情報とがそれぞれ対応付けられている。
【００３６】
例えば図５に示すように、メニューコードが「００１」と品名が「野菜サンド」と単価が「５００」と調理部門が「１」とグループ名が「Ｇ０１」と音情報が「Ａ」とが対応付けられて記憶されている。これは、ハンディターミナル５００から送信されてきた注文情報に含まれる商品のメニューコードが「００１」である場合、その商品の品名は「野菜サンド」であり、単価は５００円であり、調理部門は「１」であり、その商品は「Ｇ０１」というグループに属し、音情報は「Ａ」であることを示している。また、メニューコードが「００２」と品名が「ハムサンド」と単価が「６００」と調理部門が「１」とグループ名が「Ｇ０１」と音情報が「Ａ」とが対応付けられて記憶されている。これは、ハンディターミナル５００から送信されてきた注文情報に含まれる商品のメニューコードが「００２」である場合、その商品の品名は「ハムサンド」であり、単価は６００円であり、調理部門は「１」であり、その商品は「Ｇ０１」というグループに属し、音情報は「Ａ」であることを示している。また、メニューコードが「００３」と品名が「カツサンド」と単価が「６５０」と調理部門が「１」とグループ名が「Ｇ０１」と音情報が「Ａ」とが対応付けられて記憶されている。これは、ハンディターミナル５００から送信されてきた注文情報に含まれる商品のメニューコードが「００３」である場合、その商品の品名は「カツサンド」であり、単価は６５０円であり、調理部門は「１」であり、その商品は「Ｇ０１」というグループに属し、音情報は「Ａ」であることを示している。また、メニューコードが「２０１」と品名が「オレンジジュース」と単価が「４００」と調理部門が「２」とグループ名が「Ｇ０２」と音情報が「Ｂ」とが対応付けられて記憶されている。これは、ハンディターミナル５００から送信されてきた注文情報に含まれる商品のメニューコードが「２０１」である場合、その商品の品名は「オレンジジュース」であり、単価は４００円であり、調理部門は「２」であり、その商品は「Ｇ０２」というグループに属し、音情報は「Ｂ」であることを示している。また、メニューコードが「２０２」と品名が「レモンジュース」と単価が「４５０」と調理部門が「２」とグループ名が「Ｇ０２」と音情報が「Ｂ」とが対応付けられて記憶されている。これは、ハンディターミナル５００から送信されてきた注文情報に含まれる商品のメニューコードが「２０２」である場合、その商品の品名は「レモンジュース」であり、単価は４５０円であり、調理部門は「２」であり、その商品は「Ｇ０２」というグループに属し、音情報は「Ｂ」であることを示している。また、メニューコードが「３０１」と品名が「ビール」と単価が「８００」と調理部門が「２」とグループ名が「Ｇ０２」と音情報が「Ｂ」とが対応付けられて記憶されている。これは、ハンディターミナル５００から送信されてきた注文情報に含まれる商品のメニューコードが「３０１」である場合、その商品の品名は「ビール」であり、単価は８００円であり、調理部門は「２」であり、その商品は「Ｇ０２」というグループに属し、音情報は「Ｂ」であることを示している。
【００３７】
図５のように、商品のメニューコードが記憶部３１０に記憶されている場合、ハンディターミナル５００から送信されてくる注文情報には、品名の代わりにメニューコードが含まれていても、キッチンプリンタ３００にてその商品の品名を識別することができる。
【００３８】
なお、図５に示したように、商品がグループ名「Ｇ０１」に属していれば、調理部門は「１」であり、その音情報は「Ａ」である。また、商品がグループ名「Ｇ０２」に属していれば、調理部門は「２」であり、その音情報は「Ｂ」である。
【００３９】
また、記憶部３１０は、複数の音情報として、互いに異なる複数の周波数を記憶していても良い。
【００４０】
また、記憶部３１０は、複数の音情報として、互いに異なる複数のメロディを示すメロディ情報を記憶していても良い。
【００４１】
また、記憶部３１０は、複数の音情報として、互いに異なる複数の出力パターンを示す出力パターン情報を記憶していても良い。
【００４２】
また、音情報選択部３２０は、ハンディターミナル５００から送信されてきた注文情報に含まれる商品の品名と、記憶部３１０にて対応付けられている音情報を選択する。
【００４３】
図３に示した例を用いて説明すると、例えば、注文情報に含まれる品名が「野菜サンド」である場合、音情報選択部３２０は、音情報「Ａ」を選択する。また、注文情報に含まれる品名が「ハムサンド」である場合、音情報選択部３２０は、音情報「Ｂ」を選択する。また、注文情報に含まれる品名が「カツサンド」である場合、音情報選択部３２０は、音情報「Ｃ」を選択する。また、注文情報に含まれる品名が「オレンジジュース」である場合、音情報選択部３２０は、音情報「Ｄ」を選択する。また、注文情報に含まれる品名が「レモンジュース」である場合、音情報選択部３２０は、音情報「Ｅ」を選択する。また、注文情報に含まれる品名が「ビール」である場合、音情報選択部３２０は、音情報「Ｆ」を選択する。
【００４４】
音出力部３３０は、音情報選択部３２０が選択した音情報（上述した周波数、メロディ情報や出力パターン等）に応じた音をキッチンプリンタ３００の外部へ出力する。ここで、音情報選択部３２０が選択した音情報と、当該音情報に応じた音そのもの（音源）とは、あらかじめ対応付けられており、記憶部３１０等に音源のデジタルデータが記憶されているものであっても良い。例えば、音出力部３３０は、スピーカー等で実現される。
【００４５】
また、ハンディターミナル５００から送信されてくる注文情報に、商品の品名とともに、音源のデジタルデータが含まれているものであっても良い。その場合、音出力部３３０は、ハンディターミナル５００から送信されてきた音源のデジタルデータを再生（出力）する。
【００４６】
以下に、本形態における注文情報出力方法について説明する。
【００４７】
図５は、本形態における注文情報出力方法を説明するためのシーケンス図である。
【００４８】
まず、店員が客から注文された商品の品名またはメニューコードと個数とをハンディターミナル５００に入力すると、その入力がハンディターミナル５００にて受け付けられ（ステップＳ１）、それらの情報が注文情報として無線通信ユニット４００を介してキッチンプリンタ３００へ送信される（ステップＳ２）。
【００４９】
ハンディターミナル５００から送信された注文情報がキッチンプリンタ３００にて受信されると（ステップＳ３）、記憶部３１０にて当該注文情報に含まれる品名と対応付けられている音情報が音情報選択部３２０によって選択される（ステップＳ４）。
【００５０】
そして、音情報選択部３２０によって選択された音情報に応じた音が音出力部３３０からキッチンプリンタ３００の外部へ出力される（ステップＳ５）。
【００５１】
このように、音によりフロア側と、厨房側とのどちらにオーダーが入ったかを判断するでき、わざわざオーダー内容をフロア側と、厨房側とのどちらも確認する必要がなくなる。そのため無駄な動作がなくなり、効率よい運営が可能となる。
【００５２】
なお、本発明は、注文情報出力装置として、図１に示したキッチンプリンタ３００以外の装置、例えば、注文情報を表示して出力するキッチンディスプレイに適用できることは言うまでもない。
【００５３】
また、上述したような厨房とフロアといった２つの場所（調理部門）に応じたものだけではなく、３つ以上の場所（調理部門）で１つのキッチンプリンタを共用する場合にも適用できる。
【００５４】
上述したキッチンプリンタ３００に設けられた各構成要素が行う処理は、目的に応じてそれぞれ作製された論理回路で行うようにしても良い。また、処理内容を記述したプログラムをキッチンプリンタ３００にて読取可能な記録媒体に記録し、この記録媒体に記録されたプログラムをキッチンプリンタ３００に読み込ませ、実行するものであっても良い。キッチンプリンタ３００にて読取可能な記録媒体とは、フロッピー（登録商標）ディスク、光磁気ディスク、ＤＶＤ、ＣＤなどの移設可能な記録媒体の他、キッチンプリンタ３００に内蔵されたＲＯＭ、ＲＡＭ等のメモリやＨＤＤ等を指す。この記録媒体に記録されたプログラムは、キッチンプリンタ３００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００５５】
１００    ＰＯＳ端末
２００    コントローラ
３００    キッチンプリンタ
３１０    記憶部
３２０    グループ判断部
３３０    音情報選択部
３４０    音出力部
４００    無線通信ユニット
５００    ハンディターミナル
６００    有線ＬＡＮ
【図１】
0005388210.tif 000002
【図２】
0005388210.tif 000003
【図３】
0005388210.tif 000004
【図４】
0005388210.tif 000005
【図５】
0005388210.tif 000006
【図６】
0005388210.tif 000007